【手続補正書】
【提出日】平成16年12月10日(2004.12.10)
【手続補正１】
【補正対象書類名】明細書
【補正対象項目名】全文
【補正方法】変更
【補正の内容】
【書類名】明細書
【発明の名称】化粧用脂取り紙
【特許請求の範囲】
【請求項１】繊維原料と、吸脂性を持つ添料と、消臭剤を含み、ＪＩＳＰ−８１２４による坪量が８〜３０ｇ／ｍ2であり、密度が０．４０〜０．７５ｇ／ｃｍ3であり、前記消臭剤の添加量が前記繊維原料に対して０．５〜５０重量％であることを特徴とする化粧用脂取り紙。
【請求項２】上記填料が、上記繊維原料に対し１〜１００重量％のヒドロキシアパタイトを含むものであることを特徴とする化粧用脂取り紙。
【請求項３】請求項１記載の消臭剤が、果実類から抽出した、植物性ポリフェノールであることを特徴とする請求項１または２記載の化粧用脂取り紙。
【発明の詳細な説明】
【０００１】
【発明の属する技術分野】
本発明は化粧用脂取り紙に関するものであり、特に、皮脂吸収性作用、安全性の高い消臭性を持つ化粧用脂取り紙に関するものである。
【０００２】
【従来の技術】
人体の顔面皮膚に分泌される皮脂を吸収して顔面を清拭する化粧用紙として脂取り紙が知られている。脂取り紙は顔面の表皮に浮き出た皮脂を吸収・除去し、化粧直しの時のファンデーションののりをよくする目的や、皮脂の分泌による顔面のギラツキを軽減する目的で一般に定着し、若者の間では携帯の必需品となっている。皮脂の拭き取りに使用する脂取り紙は、コンパクトで常時携帯でき、必要に応じ何時でも取り出せて使用できる利便性がある。気温の上昇する夏場は特に汗、皮脂の分泌が活発になるため、特に携帯性が要求される。
【０００３】
この脂取り紙には、皮脂吸収性は勿論のこと、それ以外にも付加機能として、キトサンを担持させ抗菌性を付与した紙（特開平１０−２８６５７）や、アロエ成分を担持させ殺菌、美白、保湿効果を付与した紙（特開平１０−３１３９４１）等、差別化が盛んに研究されている。
【０００４】
本件発明者は、脂取り紙の差別化について鋭意研究を重ねた結果、最近の傾向として男女年齢を問わず、汗や皮脂などの分解により発生する体臭は、隠す（マスキング）のではなく、消すという傾向に変わりつつあり、脂取り紙においてもその体臭を消す機能付与の要望が高まっていることを見出した。
【０００５】
【発明が解決しようとする課題】
体臭の成分は、アンモニアやイソ吉草酸やノネナール等であり、汗や皮脂などが雑菌などにより分解され体臭を発生させるものと考えられている。これら体臭の中でも中高年齢層には、特有の「老人臭」の悩みがあったが、最近の研究で、老人臭の発生メカニズムが解明され、老人臭の元がノネナールであることが明らかになった。
【０００６】
またこれら体臭の消臭に関する研究も行われ、特に柿から抽出された水溶性ポリフェノールが、老人臭のノネナールを始め、体臭の成分を分解し消臭する効果があることがわかってきた。
【０００７】
しかし、脂取り紙を使用しても常時分泌する皮脂は完全に拭き取ることは困難であり、また、汗も同様に完全に拭き取ることは困難である。従来の脂取り紙では、皮脂と汗が表皮の雑菌による分解で発生する前記の体臭成分を取り除くことができないため、体臭の消臭には、別に、消臭効果のある化粧品が必要となり、脂取り紙と体臭消臭グッズの２つを携帯するという煩わしい問題がある。
【０００８】
【課題を解決するための手段】
前記課題を解決した本発明は、繊維原料と、吸脂性を持つ添料と、消臭剤を含み、ＪＩＳＰ−８１２４による坪量が８〜３０ｇ／ｍ2であり、密度が０．４０〜０．７５ｇ／ｃｍ3であり、前記消臭剤の添加量が前記繊維原料に対して０．５〜５０重量％であることを特徴とするものである。
【０００９】
また、好適には前記填料が、上記繊維原料に対し１〜１００重量％のヒドロキシアパタイトを含むものであることを特徴とし、更に好ましくは、前記消臭剤が、果実類から抽出した、植物性ポリフェノールであることを特徴とする。
【００１０】
本発明は、前記の如く、携帯に優れた脂取り紙において、皮脂、汗の分泌・分解で発生する体臭成分を分解消臭する機能を付与し、脂取り紙と体臭消臭グッズの２つを携帯するという煩わしい問題を解決しようとなされたものである。
【００１１】
木材・非木材パルプを原料とする化粧用脂取り紙において、吸油性の高い無機填料と、紙の耐水強度を増加させるためポリアミドポリアミンエピクロヒドリン樹脂等の湿潤紙力剤を加え抄紙時にポリフェノールを含浸させることで、皮脂の吸脂性に加え、体臭成分の消臭効果が付与できることを見出した。
【００１２】
【発明の実施の形態】
本発明の化粧用脂取り紙の原料となる繊維原料としては、針葉樹・広葉樹木材パルプ及び、麻パルプ、リンターパルプ、ケナフパルプ、バガスパルプ等の非木材パルプがあり、それぞれ単独でも、２種以上混合しても良い。
【００１３】
前記原料を一般公知の抄紙方法で抄紙された化粧用脂取り紙の坪量（ＪＩＳＰ−８１２４による。以下同じ）が８〜３０ｇ／ｍ2であれば、化粧用脂取り紙として好適に使用できる。上記化粧用脂取り紙の坪量が８ｇ／ｍ2未満であると強度が不足し、使用時に破れや破損を生じやすく、坪量が３０ｇ／ｍ2を超えるとコストが嵩むだけでなく、しなやかさがなくなり、使用感が悪化する。
【００１４】
脂取り紙の皮脂の吸脂性すなわち吸油性を向上するために好適な無機填料としては、タルク、クレー、炭酸カルシウム、シリカ、ヒドロキシアパタイト等がある。その中でも好適な無機填料としては、本発明出願人の先願にかかる特願２０００−２３４９０８号で開示されている「ヒドロキシアパタイト」含有の無機填料がある。ヒドロキシアパタイトが皮脂の中でも特に酸化された皮脂（過酸化皮脂）を効率よく吸着する性質を有するため、これを、紙中に担持させることで酸化脂質を効率よく吸着する化粧用脂取り紙が得られる。
【００１５】
ヒドロキシアパタイトの含有量は、原料のパルプに対し、１〜１００重量％とするのが良く、１％未満だと十分な酸化皮質吸着効果が得られず、１００重量％以上だと化粧用脂取り紙として十分な強度が得られない。
【００１６】
上記のヒドロキシアパタイトに加えタルクを含有させても良い。タルクは吸油性が良く、肌触りが良い点から平均粒子径を０．５μｍ〜８μｍとすることが良く、特に２μｍ以下が化粧用脂取り紙としては好適である。ヒドロキシアパタイトとタルクの両方を配合する場合は、前記のヒドロキシアパタイト同様の理由で、原料のパルプに対し各々最低１重量％以上最大で合計１００重量％以下とすることが望ましい。
【００１７】
植物性ポリフェノール類としては、茶の抽出成分や柿、リンゴ、ブドウ、カカオ、グレープフルーツ、栗、ブルーベリーなどの果実類の果肉、種子、樹皮及び果皮などからの抽出成分がいずれも使用可能である。ただし、後者の果実類からの抽出成分の方が、前者の茶の抽出成分に比べ消臭効果に優れる上、その耐久性、持続の点でも優れるため最も好適に使用される。
【００１８】
果実類からの抽出成分を得る方法は、植物性ポリフェノール類が果実類のどこに多量に含まれるかに応じて適宜、選択することができる。果実として、例えば柿を例にとると、甘柿より渋柿の方が、また成熟したものより未成熟のものの方が、消臭成分であるポリフェノール類が多く好適である。
【００１９】
上記植物性ポリフェノール類とともに、本発明の抗菌消臭剤としては、従来公知の消臭剤も併用でき、例えば両性高分子型消臭剤である高分子ポリアクリルアミド、中和相殺型消臭剤である植物抽出エキス類、酸化分解型消臭剤としては、シス−１−ピナン−２−ピドロパーオキサイド等が挙げられる。ポリフェノール類の消臭機能については明確ではないが、構造式にある多数のＯＨ基が悪臭の成分を吸着したり、その構造を分断することにより、悪臭成分を無臭化するものと考えられる。また、フェノール性水酸基が悪臭成分を包み込むようにして消臭する効果（包摂作用）も考えられる。ポリフェノールは水溶性で、水に溶かして紙に含浸させた後、乾燥させることで紙中に担持させることができる。含浸させる方法は、抄紙のサイズプレス、スーパーカレンダー、コーター、含浸機、グラビア印刷機等、紙に塗布後水分を乾燥させることができれば、担持させる方法は何れを用いても良い。
【００２０】
化粧用脂取り紙は、皮膚に直接触れるため柔軟性も重要な要素となるため、通常、スーパーカレンダーや熱加工機等で紙を、密度で０．４０〜０．７５ｇ／ｃｍ3に圧縮することが望ましく、その点で、スーパーカレンダーの前でポリフェノールを含浸させ、その後、スーパーカレンダーで圧縮加工する方法が適している。
【００２１】
ポリフェノールの担持量は、消臭性を発現可能であれば適宜選択できるが、例えば、原料パルプに対し、０．５重量％〜５０重量％の範囲で担持させるのが好ましい。０．１重量％未満だと消臭効果が低く、また、５０重量％を超えて担持させることは、費用対効果が悪く、コスト高を招く。
【００２２】
【実施例】
以下本発明の実施例を示し、更に詳しく説明する。
本実施例で使用するポリフェノールは、柿から抽出された東洋興業株式会社製、ＴＫＭ２７またはＴＫＭ２９を使用した。
【００２３】
［実施例１］
針葉樹パルプとマニラ麻パルプとの混合パルプ（針葉樹パルプ／マニラ麻パルプ８０／２０）を原料とし、カナディアン・スタンダード・フリーネス（ＣＳＦ）５２０ｍｌに調整し、このパルプスラリーに、平均粒径５μｍのヒドキシアパタイトを７５重量％と、平均粒径１μｍのタルク７５重量％を添加し、既知の抄紙機にて抄紙し、坪量８ｇ／ｍ2の原紙を得た。この原紙にサイズプレスを用い柿抽出ポリフェノール（東洋興業株式会社製、ＴＫＭ−２７）を５重量％含浸し、化粧用脂取り紙を得た。スーパーカレンダー後の紙の密度は、０．５ｇ／ｃｍ3であった。
【００２４】
［実施例２］
平均粒径８μｍのヒドロキシアパタイトを１重量％添加した以外は実施例１と同様の方法で得た坪量１５ｇ／ｍ2の原紙を使用し、この原紙にサイズプレスを用い柿抽出ポリフェノール（東洋興業株式会社製、ＴＫＭ−２７）を２５重量％含侵し化粧用脂取り紙とした。スーパーカレンダー後の紙の密度は、０．４ｇ／ｃｍ3であった。
【００２５】
［実施例３］
平均粒径３μｍのヒドロキシアパタイトを１００重量％添加した以外は実施例１と同様の方法で得た坪量３０ｇ／ｍ2の原紙を使用し、この原紙にサイズプレスを用い柿抽出ポリフェノール（東洋興業株式会社製、ＴＫＭ−２７）を５０重量％含侵させ、化粧用脂取り紙を得た。スーパーカレンダー後の紙の密度は、０．７５ｇ／ｃｍ3であった。
【００２６】
［比較例１］
実施例１と同様の方法で得た坪量７ｇ／ｍ2の原紙を使用し、柿抽出ポリフェノールを添加せず、本発明の化粧用脂取り紙を作製した。スーパーカレンダー後の紙の密度は、０．７５ｇ／ｃｍ3であった。
【００２７】
［比較例２］
針葉樹パルプとマニラ麻パルプとの混合パルプ（針葉樹パルプ／マニラ麻パルプ８０／２０）を原料とし、カナディアン・スタンダード・フリーネス（ＣＳＦ）５２０ｍｌに調整し、坪量１５ｇ／ｍ2の原紙を得た。この原紙にサイズプレスを用い柿抽出ポリフェノール（東洋興業株式会社製、ＴＫＭ−２７）を０．５０重量％含侵させ化粧用脂取り紙を得た。スーパーカレンダー後の紙の密度は、０．８０ｇ／ｃｍ3であった。
【００２８】
［比較例３］
ヒドロキシアパタイトを添加しない以外は実施例１と同様の方法で得た坪量２５ｇ／ｍ2の原紙を使用し、この原紙にサイズプレスを用い柿抽出ポリフェノール（東洋興業株式会社製、ＴＫＭ−２７）を０．２０重量％含侵させ化粧用脂取り紙を得た。スーパーカレンダー後の紙の密度は、０．５５ｇ／ｃｍ3であった。
【００２９】
実施例および比較例の評価結果を表１および表２に表わす。
【００３０】
【表１】
2003061857.tif 000001
【００３１】
【表２】
2003061857.tif 000002
【００３２】
各評価方法は以下の通りである。
＜過酸化脂質の吸着率＞
まず、図１のように組み立てた装置のカラムに試料１ｇを入れ、ｎ−ヘキサン４ｇで希釈したオリーブ油（和光純薬製）２ｇをカラム１の上部から流す。この時、カラム１内をオリーブ油が流れるように吸引しながら行う。次いで、カラム上部よりｎ−ヘキサン１００ｍｌを流して流出液を採取する。次いで、その流出液をウォーターバスで蒸発させ、残留約１０ｍｌになったところで、ウォーターバスから取り出し、該混合液に氷酢酸１０ｍｌ及びヨウ化カリウム２ｇを添加して攪拌する。次いで、この混合液中の遊離したヨウ素を、ビュレットを用いて０．０１ｍｏｌ／リットルでチオ硫酸ナトリウムにて滴定する。終点は、デンプン指示薬を入れ求める。滴定結果により過酸化物価を求め、求められた過酸化物価より過酸化脂質の吸着量を算出する。
過酸化脂質吸着率：５％未満…×  ５％以上２０％未満…○  ２０％以上…◎
【００３３】
＜消臭性＞
悪臭成分は、体臭の原因物質として代表的なアンモニア、アセトアルデヒド、イソ吉草酸、ノネナールを選定した。
体臭の原因となる前記悪臭成分の内、アンモニア、アセトアルデヒド、イソ吉草酸は、１０ｃｍ×１０ｃｍの試料を、１リットルの三角フラスコ内に吊り下げ、前記悪臭成分を封印し、間接的に反応させ、封印後１時間放置後のフラスコ内の悪臭成分を北川式検知管により測定し、前後の濃度の低下率で消臭性を算出した。
濃度低下率：３０％未満…×  ３０％以上７０％未満…○  ７０％以上…◎
ノネナールは、５万分の１に希釈した液の０．２５ｍｌを、前記試料を吊り下げた三角フラスコ内に投入後、被疑者３名がフラスコ内の残存臭気を直接匂って臭気の強さを６段階で評価した。
臭気強度判定基準（６段階臭気強度表示法）：５…強烈な臭い  ４…強い臭い  ３…楽にわかる臭い  ２…何の臭いかわかる弱い臭い  １…やっとわかる弱い臭い  ０…無臭
【００３４】
＜総合評価＞
表１から明らかなように、実施例１〜３で得られた化粧用脂取り紙は、比較例１〜３に比し、悪臭成分の消臭効果が認められる。また、ポリフェノールの担持率と消臭性の関係から、担持率０．２％未満では安定した効果が得られない可能性があり、５％を超えてもそれ以上の消臭効果が期待できないことがわかる。つまり、化粧用脂取り紙に対し消臭効果だけをみた場合ポリフェノールの担持率の上限はないが、コスト面からも担持量は必要最小限にすることが望ましく０．５重量％以上〜５０重量％が好適な範囲といえ、特に好適には、０．５重量％以上〜５重量％である。更に、ヒドロキシアパタイトを添加することで、過酸化脂質の選択的吸着効果も付与できることが認められる。
【００３５】
【発明の効果】
以上のとおり本願発明により、化粧用脂取り紙において、繊維原料に対し柿抽出ポリフェノールを０．５〜５０重量％担持させることで、体臭の元となる悪臭の消臭効果が提供でき、更に、添料としてヒドロキシアパタイトを添加することで、過酸化脂質の吸着性を付与した従来にないより清潔志向を満足させる化粧用脂取り紙を提供することができる。
【図面の簡単な説明】
【図１】
過酸化脂質の吸着率の測定に用いた、装置図である。
【符号の説明】
１…カラム。